(57)【要約】      （修正有）【課題】貨幣や貨幣以外の贈り物を収納でき、破損することがなく、密封、開封しやすい祝儀袋を提供する。【解決手段】物を収納するための袋と、袋の開放口を覆うためのカバーを含み、袋とカバーに相対する固定部材を設置し相互を係止させ、カバーの表面に握り部材を設置し、掴むことによりカバーと袋を係止または離れさせるようにする。また、袋の固定部材とカバー上の対応する固定部材は相対する雄ボタンと雌ボタン、或いは対応するマジックテープ（登録商標）、又は磁石である。カバーに設置された握り部分は中国結び、玉飾り、アンティークコイン等の飾り物である。贈り物用袋はしっかりしており、密封、開封がしやすい。【選択図】図１
0003135852.tif 000002
【実用新案登録請求の範囲】
【請求項１】
物を収納すると共に固定部材が設置される袋と、
前記固定部材に対応する固定部材が設置され相互を係止するためのカバーとを含み、
前記カバーの表面に握り部材を設置し、掴むことにより前記カバーと前記袋とを係止または離れさせるようにすることを特徴とする贈り物用袋。
【請求項２】
前記袋に設置される前記固定部材が雄ボタンで前記カバーに設置され対応している前記固定部材が雌ボタンであることを特徴とする請求項１に記載の贈り物用袋。
【請求項３】
前記袋に設置される前記固定部材が雌ボタンで前記カバーに設置され前記対応している固定部材が雄ボタンであることを特徴とする請求項１に記載の贈り物用袋。
【請求項４】
前記袋に設置される前記固定部材と前記カバーに設置され前記対応している固定部材がマジックテープであることを特徴とする請求項１に記載の贈り物用袋。
【請求項５】
前記袋に設置される前記固定部材と前記カバーに設置され前記対応している固定部材が対応する磁石であることを特徴とする請求項１に記載の贈り物用袋。
【請求項６】
前記握り部材が中国結び、玉飾り、アンティークコイン或いはそれらが組み合わさった物のいずれかの一つであることを特徴とする請求項1乃至５のいずれか１項に記載の贈り物用袋。
【考案の詳細な説明】
【技術分野】
【０００１】
本考案は貨幣や贈り物を収納する贈り物用袋に関わり、特に設置された固定部材とカバーに設置された中国結び等の飾りを握り部材とする贈り物用袋である。
【背景技術】
【０００２】
一般的に、私達は祝祭日祝い事の度に祝賀、感謝、慰問或いは奨励を伝えるために祝儀袋に貨幣を入れて人に贈っている。従来技術では、祝儀袋は赤色の紙で形成し、開口部は本体が延伸したカバーにより閉じられるので、形成されたカバーの大きさが小さく、のりを用いて密封すると、物を受け取った人が内容物を取り出した後、祝儀袋は通常折れたり破損したりしているので捨てられる。また、従来技術の祝儀袋は破損し易い、密封、開封し難い、容量が十分でないなどの欠点がある。さらに、貨幣以外の物を贈り物とする場合、祝儀袋は通常収納するのに適当でないので、破損したり容量が十分でなかったりする。
【考案の開示】
【考案が解決しようとする課題】
【０００３】
上記の問題を解決するために、本考案は貨幣や貨幣以外の贈り物を収納でき、破損することがなく、密封、開封しやすい祝儀袋を提供する。
【課題を解決するための手段】
【０００４】
本考案は贈り物用袋を提供するもので、物を収納するための袋と、袋の開放口を覆うためのカバーを含み、袋とカバーに相対する固定部材を設置し相互を係止させ、カバーの表面に握り部材を設置し、掴むことによりカバーと袋を係止または離れさせるようにする。
【０００５】
また、袋の固定部材とカバー上の対応する固定部材は相対する雄ボタンと雌ボタン、或いは対応するマジックテープ（登録商標）、又は磁石である。カバーに設置された握り部分は中国結び、玉飾り、アンティークコイン等の飾り物である。従って、本考案の贈り物用袋はしっかりしており、密封、開封がしやすい。
【考案を実施するための最良の形態】
【０００６】
以下に図を参照しながら本考案の贈り物用袋の実施例の説明を行なう。図１に本考案の実施例の贈り物用袋の斜視図を示す。図１に示すように、贈り物用袋１には贈り物を収納するための袋体２及び開口部を密閉するためのカバー３が設けられている。袋体２とカバー３は木綿等の材料を一体裁断縫製することにより形成されるか、ボール紙、プラスチック等を一体裁断し折り合わせることにより形成される。
【０００７】
図２に示すように、カバー３に例えば雌ボタン５a等の固定部材を設置すると共に、袋体２に例えば雄ボタン５b等の対応する固定部材を設ける。袋体２の雄ボタン５bとカバー３に設置されている雌ボタン５aは互いに係止でき、開口部をしっかりと覆うことかでき、且つ容易に開けることができる。ここでは、簡明に説明するために、袋体２とカバー３の固定部材は対応している雌ボタンと雄ボタンであるが、マジックテープや磁石などを固定部材としても良い。
【０００８】
図１に示すように、カバー３の外側に例えば中国結び等の飾り物を前記カバー３上に縫合或いは接合して握り部材４とすることができる。使用者が掴みやすいようにカバー３と袋体２は互いに係止或いは別々になっている。中国結びは細い紐を編むことにより形成され、一定の粗さを有するので、カバー３の握り部材４とするのが好ましく、使用者が開閉動作を行なうのに掴みやすくなると共に、中国結びがカバー上に設置されていると贈り物用袋の祝賀効果も備えることになる。もちろん握り部材４は玉飾り、アンティークコイン等の掴み易く、縁起が良く、祝賀の意が含まれている飾り物でも良い。言い換えると、カバー３に設置されている例えば中国結びなどの握り部材４は使用者が贈り物用袋１の開閉がし易く、且つ祝賀効果を兼ね備えている。
【０００９】
本考案の実施例による贈り物用袋は貨幣以外の物も収納でき、贈り物用袋の開閉を容易に行なうために別々に固定部材を設置する。また開閉するのに掴みやすい固定部材と祝賀効果を備えた握り部材を設ける。
【００１０】
しかし、以上述べたことは、本考案における好ましい実施例の詳細な説明と図にすぎず、本考案の特徴はこれだけに限られず、本考案を制限するものではない。この領域を熟知している技術者が、本特許の範囲内で、手を加え、変更したものはすべて、上記の特許請求の範囲内に含まれる。
【図面の簡単な説明】
【００１１】
【図１】図１は本考案の実施例の贈り物用袋を示す斜視図である。
【図２】図２は本考案の実施例の開かれた状態を示す正投影図である。
【符号の説明】
【００１２】
１  贈り物用袋
２  袋体
３  カバー
４  握り部材
５a、５b  固定部材
【図１】
0003135852.tif 000003
【図２】
0003135852.tif 000004
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
物を収納すると共に固定部材が設置される袋と、
前記固定部材に対応する固定部材が設置され相互を係止するためのカバーとを含み、
前記カバーの表面に握り部材を設置し、掴むことにより前記カバーと前記袋とを係止ま
たは離れさせるようにすることを特徴とする贈り物用袋。
【請求項２】
前記袋に設置される前記固定部材が雄ボタンで前記カバーに設置され対応している前記
固定部材が雌ボタンであることを特徴とする請求項１に記載の贈り物用袋。
【請求項３】
前記袋に設置される前記固定部材が雌ボタンで前記カバーに設置され前記対応している
固定部材が雄ボタンであることを特徴とする請求項１に記載の贈り物用袋。
【請求項４】
前記袋に設置される前記固定部材と前記カバーに設置され前記対応している固定部材がマジックテープ（登録商標）であることを特徴とする請求項１に記載の贈り物用袋。
【請求項５】
前記袋に設置される前記固定部材と前記カバーに設置され前記対応している固定部材が
対応する磁石であることを特徴とする請求項１に記載の贈り物用袋。
【請求項６】
前記握り部材が中国結び、玉飾り、アンティークコイン或いはそれらが組み合わさった
物のいずれかの一つであることを特徴とする請求項1乃至５のいずれか１項に記載の贈り
物用袋。